(57)【要約】【課題】カラオケ装置とリモコンとの双方向通信がカラオケ装置と他のリモコンとの双方向通信による接続状態を確立するために一時的に不可能になる場合でも、当該リモコンとカラオケ装置とのデータ通信を可能にすること。【解決手段】カラオケ装置は、双方向通信による接続状態が確立しているリモコン端末が存在する場合に、双方向通信による接続状態が確立していないリモコン端末から、メッセージが送信されてきた場合には、受信不可能となる旨を接続済みリモコン端末へ連絡しておき、未接続のリモコン端末との接続状態を確立してから、受信可能となる旨を接続済みリモコン端末へ連絡する。なお、接続済みのリモコン端末からのメッセージは赤外線通信であれば受け付け、そのメッセージへの返信は双方向通信で行う。【選択図】図２
2011180515.tif 000002
【特許請求の範囲】
【請求項１】
ユーザからの要求を受けて予約した楽曲を順次演奏するカラオケ装置と前記カラオケ装置に対する楽曲の予約をリクエストするための操作を実施可能な複数のリモコンとが、前記カラオケ装置と前記リモコンとの間で同一設定に基づいて相互に通信を行うための通信方法である双方向通信および前記双方向通信とは異なり前記リモコンから前記カラオケ装置に対する方向のみで通信を行うための通信方法である片方向通信によって通信可能に接続されるカラオケシステムであって、
前記カラオケ装置は、
当該カラオケ装置と前記リモコンとの間で前記双方向通信を行うための各種設定を規定する設定情報として、当該カラオケ装置と前記リモコンとの間の前記双方向通信による接続状態を確立するために前記双方向通信を暫定的に行うための各種設定を規定する暫定設定情報または前記双方向通信による接続状態が確立した後に前記双方向通信を行うための各種設定を規定する正式設定情報を設定可能であり、
前記正式設定情報を予め記憶する正式設定情報記憶手段と、
前記片方向通信を用いて各種情報を受信する装置側片方向通信用受信手段と、
前記双方向通信を用いて各種情報を送信する装置側双方向通信用送信手段と、
前記双方向通信を用いて各種情報を受信する装置側双方向通信用受信手段と、を備え、
一方、前記リモコンは、
当該リモコンと前記カラオケ装置との間で前記双方向通信を行うための各種設定を規定する設定情報として、前記暫定設定情報または前記正式設定情報を設定可能であり、
前記暫定設定情報を予め記憶する暫定設定情報記憶手段と、
前記片方向通信を用いて各種情報を送信する端末側片方向通信用送信手段と、
前記双方向通信を用いて各種情報を送信する端末側双方向通信用送信手段と、
前記双方向通信を用いて各種情報を受信する端末側双方向通信用受信手段と、を備え、
また、前記リモコンは、さらに、
当該リモコンと前記カラオケ装置との間で前記双方向通信による接続状態を確立するために、前記暫定設定情報記憶手段が記憶する前記暫定設定情報を読み出し、前記双方向通信による接続状態の確立を要請する旨の情報である接続確立要請情報をその読み出した暫定設定情報とともに前記カラオケ装置へ前記片方向通信を用いて前記端末側片方向通信用送信手段に送信させる接続確立要請処理を実行する端末側通信制御手段を備え、
前記カラオケ装置は、さらに、
前記双方向通信による接続状態が確立したリモコンである接続済みリモコンが存在しない場合に、前記双方向通信による接続状態が確立していないリモコンである未接続リモコンと当該カラオケ装置との前記双方向通信による接続状態を確立する処理である第一装置側括り付け処理、および前記接続済みリモコンが存在する場合に前記未接続リモコンと当該カラオケ装置との前記双方向通信による接続状態を確立する処理である第二装置側括り付け処理を実行する装置側通信制御手段を備え、
前記第一装置側括り付け処理とは、前記未接続リモコンの前記端末側片方向通信用送信手段から前記片方向通信を用いて送信された前記接続確立要請情報と前記暫定設定情報とを前記装置側片方向通信用受信手段が受信した場合において、前記接続済みリモコンが存在しないときに、前記装置側通信制御手段が、受信した前記暫定設定情報に基づいて前記暫定設定情報の送信元である前記未接続リモコンとの前記双方向通信による接続状態を暫定的に確立し、前記正式設定情報を前記正式設定情報記憶手段から読み出し、その読み出した正式設定情報を前記未接続リモコンへ前記双方向通信を用いて前記装置側双方向通信用送信手段に送信させる処理であり、一方、前記第二装置側括り付け処理とは、前記未接続リモコンの前記端末側片方向通信用送信手段から前記片方向通信を用いて送信された前記接続確立要請情報と前記暫定設定情報とを前記装置側片方向通信用受信手段が受信した場合において、前記接続済みリモコンが存在するときに、前記装置側通信制御手段が、前記双方向通信を用いて送信される各種情報を前記装置側双方向通信用受信手段が受信不可能となる旨を示す情報である受信不能通知情報を前記接続済みリモコンへ前記装置側双方向通信用送信手段を用いて前記双方向通信で送信し、当該カラオケ装置の設定情報を前記正式設定情報から受信した前記暫定設定情報に一時変更して、前記暫定設定情報に基づいて前記暫定設定情報の送信元である前記未接続リモコンとの前記双方向通信による接続状態を暫定的に確立し、前記正式設定情報を前記正式設定情報記憶手段から読み出し、その読み出した正式設定情報をその接続状態を確立した前記暫定設定情報の送信元である前記未接続リモコンへ前記双方向通信を用いて前記装置側双方向通信用送信手段に送信させた後で、当該カラオケ装置側の設定情報を前記暫定設定情報から前記正式設定情報に戻し、前記双方向通信を用いて送信される各種情報を前記装置側双方向通信用受信手段が受信可能となる旨を示す情報である受信可能通知情報を前記接続済みリモコンへ前記双方向通信を用いて前記装置側双方向通信用送信手段に送信させる処理であり、
前記未接続リモコンの前記端末側通信制御手段は、前記双方向通信による接続状態が暫定的に確立した後に、前記カラオケ装置の前記装置側双方向通信用送信手段から前記双方向通信を用いて送信された前記正式設定情報を前記端末側双方向通信用受信手段が受信したときには、当該リモコンの設定情報を前記暫定設定情報から受信した前記正式設定情報へ変更して、前記正式設定情報に基づいて前記カラオケ装置との前記双方向通信による接続状態を正式に確立する端末側括り付け処理を実行して、前記未接続リモコンから前記接続済みリモコンとなり、
また、前記接続済みリモコンの前記端末側通信制御手段は、当該接続済みリモコンと前記カラオケ装置との間で前記双方向通信による接続状態が確立してから前記受信不能通知情報を前記端末側双方向通信用受信手段が受信するまでの間および前記受信可能通知情報を前記端末側双方向通信用受信手段が受信してから前記受信不能通知情報を前記端末側双方向通信用受信手段が受信するまでの間は、前記カラオケ装置へ送信する必要がある各種情報を前記カラオケ装置へ前記双方向通信を用いて前記端末側双方向通信用送信手段に送信させ、
一方、前記カラオケ装置の前記装置側通信制御手段は、当該カラオケ装置と前記接続済みリモコンとの間で前記双方向通信による接続状態が確立してから前記受信不能通知情報を前記装置側双方向通信用送信手段が送信するまでの間および前記受信可能通知情報を前記装置側双方向通信用送信手段が送信してから前記受信不能通知情報を前記装置側双方向通信用送信手段が送信するまでの間に、前記接続済みリモコンから前記双方向通信を用いて送信された各種情報を前記装置側双方向通信用受信手段が受信した場合には、受信した前記各種情報に対する応答を前記各種情報の送信元である前記接続済みリモコンへ前記双方向通信を用いて前記装置側双方向通信用送信手段に送信させ、
また、前記接続済みリモコンの前記端末側通信制御手段は、前記受信不能通知情報を前記端末側双方向通信用受信手段が受信してから前記受信可能通知情報を前記端末側双方向通信用受信手段が受信するまでの間は、前記カラオケ装置へ送信する必要がある各種情報を前記カラオケ装置へ前記片方向通信を用いて前記端末側片方向通信用送信手段に送信させ、
一方、前記カラオケ装置の前記装置側通信制御手段は、前記受信不能通知情報を前記装置側双方向通信用送信手段を用いて前記双方向通信で送信してから前記受信可能通知情報を前記装置側双方向通信用送信手段を用いて前記双方向通信で送信するまでの間に、前記接続済みリモコンから前記片方向通信を用いて送信された各種情報を前記装置側片方向通信用受信手段が受信した場合には、前記正式設定情報を前記正式設定情報記憶手段から読み出し、当該カラオケ装置の設定情報を前記暫定設定情報からその読み出した前記正式設定情報に一時変更して前記各種情報の送信元である前記接続済みリモコンと前記正式設定情報に基づいて前記双方向通信による接続状態を確立し、受信した前記各種情報に対する応答を前記各種情報の送信元である前記接続済みリモコンへ前記双方向通信を用いて前記装置側双方向通信用送信手段に送信させた後で、当該カラオケ装置側の設定情報を前記正式設定情報から前記暫定設定情報に戻すこと
を特徴とするカラオケシステム。
【請求項２】
ユーザからの要求を受けて予約した楽曲を順次演奏するカラオケ装置と前記カラオケ装置に対する楽曲の予約をリクエストするための操作を実施可能な複数のリモコンとが、前記カラオケ装置と前記リモコンとの間で同一設定に基づいて相互に通信を行うための通信方法である双方向通信および前記双方向通信とは異なり前記リモコンから前記カラオケ装置に対する方向のみで通信を行うための通信方法である片方向通信によって通信可能に接続されるカラオケシステムであって、一方、前記リモコンは、当該リモコンと前記カラオケ装置との間で前記双方向通信を行うための各種設定を規定する設定情報として、前記カラオケ装置と当該リモコンとの間の前記双方向通信による接続状態を確立するために前記双方向通信を暫定的に行うための各種設定を規定する暫定設定情報または前記双方向通信による接続状態が確立した後に前記双方向通信を行うための各種設定を規定する正式設定情報を設定可能であり、前記暫定設定情報を予め記憶する暫定設定情報記憶手段と、前記片方向通信を用いて各種情報を送信する端末側片方向通信用送信手段と、前記双方向通信を用いて各種情報を送信する端末側双方向通信用送信手段と、前記双方向通信を用いて各種情報を受信する端末側双方向通信用受信手段と、を備え、また、前記リモコンは、さらに、当該リモコンと前記カラオケ装置との間で前記双方向通信による接続状態を確立するために、前記暫定設定情報記憶手段が記憶する前記暫定設定情報を読み出し、前記双方向通信による接続状態の確立を要請する旨の情報である接続確立要請情報をその読み出した暫定設定情報とともに前記カラオケ装置へ前記片方向通信を用いて前記端末側片方向通信用送信手段に送信させる接続確立要請処理を実行する端末側通信制御手段を備え、前記未接続リモコンの前記端末側通信制御手段は、前記双方向通信による接続状態が暫定的に確立した後に、前記カラオケ装置の前記装置側双方向通信用送信手段から前記双方向通信を用いて送信された前記正式設定情報を前記端末側双方向通信用受信手段が受信したときには、当該リモコンの設定情報を前記暫定設定情報から受信した前記正式設定情報へ変更して、前記正式設定情報に基づいて前記カラオケ装置との前記双方向通信による接続状態を正式に確立する端末側括り付け処理を実行して、前記未接続リモコンから前記接続済みリモコンとなり、また、前記接続済みリモコンの前記端末側通信制御手段は、当該接続済みリモコンと前記カラオケ装置との間で前記双方向通信による接続状態が確立してから、前記双方向通信を用いて送信される各種情報を前記装置側双方向通信用受信手段が受信不可能となる旨を示す情報である受信不能通知情報を前記端末側双方向通信用受信手段が受信するまでの間および前記双方向通信を用いて送信される各種情報を前記装置側双方向通信用受信手段が受信可能となる旨を示す情報である受信可能通知情報を前記端末側双方向通信用受信手段が受信してから前記受信不能通知情報を前記端末側双方向通信用受信手段が受信するまでの間は、前記カラオケ装置へ送信する必要がある各種情報を前記カラオケ装置へ前記双方向通信を用いて前記端末側双方向通信用送信手段に送信させ、また、前記接続済みリモコンの前記端末側通信制御手段は、前記受信不能通知情報を前記端末側双方向通信用受信手段が受信してから前記受信可能通知情報を前記端末側双方向通信用受信手段が受信するまでの間は、前記カラオケ装置へ送信する必要がある各種情報を前記カラオケ装置へ前記片方向通信を用いて前記端末側片方向通信用送信手段に送信させるカラオケシステムに用いられる前記カラオケ装置であって、
当該カラオケ装置と前記リモコンとの間で前記双方向通信を行うための各種設定を規定する設定情報として、前記暫定設定情報または前記正式設定情報を設定可能であり、
前記正式設定情報を予め記憶する正式設定情報記憶手段と、
前記片方向通信を用いて各種情報を受信する装置側片方向通信用受信手段と、
前記双方向通信を用いて各種情報を送信する装置側双方向通信用送信手段と、
前記双方向通信を用いて各種情報を受信する装置側双方向通信用受信手段と、
前記双方向通信による接続状態が確立したリモコンである接続済みリモコンが存在しない場合に、前記双方向通信による接続状態が確立していないリモコンである未接続リモコンと当該カラオケ装置との前記双方向通信による接続状態を確立する処理である第一装置側括り付け処理、および前記接続済みリモコンが存在する場合に前記未接続リモコンと当該カラオケ装置との前記双方向通信による接続状態を確立する処理である第二装置側括り付け処理を実行する装置側通信制御手段と、を備え、
前記第一装置側括り付け処理とは、前記未接続リモコンの前記端末側片方向通信用送信手段から前記片方向通信を用いて送信された前記接続確立要請情報と前記暫定設定情報とを前記装置側片方向通信用受信手段が受信した場合において、前記接続済みリモコンが存在しないときに、前記装置側通信制御手段が、受信した前記暫定設定情報に基づいて前記暫定設定情報の送信元である前記未接続リモコンとの前記双方向通信による接続状態を暫定的に確立し、前記正式設定情報を前記正式設定情報記憶手段から読み出し、その読み出した正式設定情報を前記未接続リモコンへ前記双方向通信を用いて前記装置側双方向通信用送信手段に送信させる処理であり、一方、前記第二装置側括り付け処理とは、前記未接続リモコンの前記端末側片方向通信用送信手段から前記片方向通信を用いて送信された前記接続確立要請情報と前記暫定設定情報とを前記装置側片方向通信用受信手段が受信した場合において、前記接続済みリモコンが存在するときに、前記装置側通信制御手段が、前記受信不能通知情報を前記接続済みリモコンへ前記装置側双方向通信用送信手段を用いて前記双方向通信で送信し、当該カラオケ装置の設定情報を前記正式設定情報から受信した前記暫定設定情報に一時変更して、前記暫定設定情報に基づいて前記暫定設定情報の送信元である前記未接続リモコンとの前記双方向通信による接続状態を暫定的に確立し、前記正式設定情報を前記正式設定情報記憶手段から読み出し、その読み出した正式設定情報をその接続状態を確立した前記暫定設定情報の送信元である前記未接続リモコンへ前記双方向通信を用いて前記装置側双方向通信用送信手段に送信させた後で、当該カラオケ装置側の設定情報を前記暫定設定情報から前記正式設定情報に戻し、前記受信可能通知情報を前記接続済みリモコンへ前記双方向通信を用いて前記装置側双方向通信用送信手段に送信させる処理であり、
前記装置側通信制御手段は、当該カラオケ装置と前記接続済みリモコンとの間で前記双方向通信による接続状態が確立してから前記受信不能通知情報を前記装置側双方向通信用送信手段が送信するまでの間および前記受信可能通知情報を前記装置側双方向通信用送信手段が送信してから前記受信不能通知情報を前記装置側双方向通信用送信手段が送信するまでの間に、前記接続済みリモコンから前記双方向通信を用いて送信された各種情報を前記装置側双方向通信用受信手段が受信した場合には、受信した前記各種情報に対する応答を前記各種情報の送信元である前記接続済みリモコンへ前記双方向通信を用いて前記装置側双方向通信用送信手段に送信させ、一方、前記受信不能通知情報を前記装置側双方向通信用送信手段を用いて前記双方向通信で送信してから前記受信可能通知情報を前記装置側双方向通信用送信手段を用いて前記双方向通信で送信するまでの間に、前記接続済みリモコンから前記片方向通信を用いて送信された各種情報を前記装置側片方向通信用受信手段が受信した場合には、前記正式設定情報を前記正式設定情報記憶手段から読み出し、当該カラオケ装置の設定情報を前記暫定設定情報からその読み出した前記正式設定情報に一時変更して前記各種情報の送信元である前記接続済みリモコンと前記正式設定情報に基づいて前記双方向通信による接続状態を確立し、受信した前記各種情報に対する応答を前記各種情報の送信元である前記接続済みリモコンへ前記双方向通信を用いて前記装置側双方向通信用送信手段に送信させた後で、当該カラオケ装置側の設定情報を前記正式設定情報から前記暫定設定情報に戻すこと
を特徴とするカラオケ装置。
【請求項３】
ユーザからの要求を受けて予約した楽曲を順次演奏するカラオケ装置と前記カラオケ装置に対する楽曲の予約をリクエストするための操作を実施可能な複数のリモコンとが、前記カラオケ装置と前記リモコンとの間で同一設定に基づいて相互に通信を行うための通信方法である双方向通信および前記双方向通信とは異なり前記リモコンから前記カラオケ装置に対する方向のみで通信を行うための通信方法である片方向通信によって通信可能に接続されるカラオケシステムであって、前記カラオケ装置は、当該カラオケ装置と前記リモコンとの間で前記双方向通信を行うための各種設定を規定する設定情報として、当該カラオケ装置と前記リモコンとの間の前記双方向通信による接続状態を確立するために前記双方向通信を暫定的に行うための各種設定を規定する暫定設定情報または前記双方向通信による接続状態が確立した後に前記双方向通信を行うための各種設定を規定する正式設定情報を設定可能であり、前記正式設定情報を予め記憶する正式設定情報記憶手段と、前記片方向通信を用いて各種情報を受信する装置側片方向通信用受信手段と、前記双方向通信を用いて各種情報を送信する装置側双方向通信用送信手段と、前記双方向通信を用いて各種情報を受信する装置側双方向通信用受信手段と、前記双方向通信による接続状態が確立したリモコンである接続済みリモコンが存在しない場合に、前記双方向通信による接続状態が確立していないリモコンである未接続リモコンと当該カラオケ装置との前記双方向通信による接続状態を確立する処理である第一装置側括り付け処理、および前記接続済みリモコンが存在する場合に前記未接続リモコンと当該カラオケ装置との前記双方向通信による接続状態を確立する処理である第二装置側括り付け処理を実行する装置側通信制御手段と、を備え、前記第一装置側括り付け処理とは、前記未接続リモコンの前記端末側片方向通信用送信手段から前記片方向通信を用いて送信された前記接続確立要請情報と前記暫定設定情報とを前記装置側片方向通信用受信手段が受信した場合において、前記接続済みリモコンが存在しないときに、前記装置側通信制御手段が、受信した前記暫定設定情報に基づいて前記暫定設定情報の送信元である前記未接続リモコンとの前記双方向通信による接続状態を暫定的に確立し、前記正式設定情報を前記正式設定情報記憶手段から読み出し、その読み出した正式設定情報を前記未接続リモコンへ前記双方向通信を用いて前記装置側双方向通信用送信手段に送信させる処理であり、一方、前記第二装置側括り付け処理とは、前記未接続リモコンの前記端末側片方向通信用送信手段から前記片方向通信を用いて送信された前記接続確立要請情報と前記暫定設定情報とを前記装置側片方向通信用受信手段が受信した場合において、前記接続済みリモコンが存在するときに、前記装置側通信制御手段が、前記双方向通信を用いて送信される各種情報を前記装置側双方向通信用受信手段が受信不可能となる旨を示す情報である受信不能通知情報を前記接続済みリモコンへ前記装置側双方向通信用送信手段を用いて前記双方向通信で送信し、当該カラオケ装置の設定情報を前記正式設定情報から受信した前記暫定設定情報に一時変更して、前記暫定設定情報に基づいて前記暫定設定情報の送信元である前記未接続リモコンとの前記双方向通信による接続状態を暫定的に確立し、前記正式設定情報を前記正式設定情報記憶手段から読み出し、その読み出した正式設定情報をその接続状態を確立した前記暫定設定情報の送信元である前記未接続リモコンへ前記双方向通信を用いて前記装置側双方向通信用送信手段に送信させた後で、当該カラオケ装置側の設定情報を前記暫定設定情報から前記正式設定情報に戻し、前記双方向通信を用いて送信される各種情報を前記装置側双方向通信用受信手段が受信可能となる旨を示す情報である受信可能通知情報を前記接続済みリモコンへ前記双方向通信を用いて前記装置側双方向通信用送信手段に送信させる処理であり、前記カラオケ装置の前記装置側通信制御手段は、当該カラオケ装置と前記接続済みリモコンとの間で前記双方向通信による接続状態が確立してから前記受信不能通知情報を前記装置側双方向通信用送信手段が送信するまでの間および前記受信可能通知情報を前記装置側双方向通信用送信手段が送信してから前記受信不能通知情報を前記装置側双方向通信用送信手段が送信するまでの間に、前記接続済みリモコンから前記双方向通信を用いて送信された各種情報を前記装置側双方向通信用受信手段が受信した場合には、受信した前記各種情報に対する応答を前記各種情報の送信元である前記接続済みリモコンへ前記双方向通信を用いて前記装置側双方向通信用送信手段に送信させ、一方、前記受信不能通知情報を前記装置側双方向通信用送信手段を用いて前記双方向通信で送信してから前記受信可能通知情報を前記装置側双方向通信用送信手段を用いて前記双方向通信で送信するまでの間に、前記接続済みリモコンから前記片方向通信を用いて送信された各種情報を前記装置側片方向通信用受信手段が受信した場合には、前記正式設定情報を前記正式設定情報記憶手段から読み出し、当該カラオケ装置の設定情報を前記暫定設定情報からその読み出した前記正式設定情報に一時変更して前記各種情報の送信元である前記接続済みリモコンと前記正式設定情報に基づいて前記双方向通信による接続状態を確立し、受信した前記各種情報に対する応答を前記各種情報の送信元である前記接続済みリモコンへ前記双方向通信を用いて前記装置側双方向通信用送信手段に送信させた後で、当該カラオケ装置側の設定情報を前記正式設定情報から前記暫定設定情報に戻すカラオケシステムに用いられるリモコンであって、
当該リモコンと前記カラオケ装置との間で前記双方向通信を行うための各種設定を規定する設定情報として、前記暫定設定情報または前記正式設定情報を設定可能であり、
前記暫定設定情報を予め記憶する暫定設定情報記憶手段と、
前記片方向通信を用いて各種情報を送信する端末側片方向通信用送信手段と、
前記双方向通信を用いて各種情報を送信する端末側双方向通信用送信手段と、
前記双方向通信を用いて各種情報を受信する端末側双方向通信用受信手段と、
当該リモコンと前記カラオケ装置との間で前記双方向通信による接続状態を確立するために、前記暫定設定情報記憶手段が記憶する前記暫定設定情報を読み出し、前記双方向通信による接続状態の確立を要請する旨の情報である接続確立要請情報をその読み出した暫定設定情報とともに前記カラオケ装置へ前記片方向通信を用いて前記端末側片方向通信用送信手段に送信させる接続確立要請処理を実行する端末側通信制御手段と、を備え、
当該リモコンが前記未接続リモコンである場合の前記端末側通信制御手段は、前記双方向通信による接続状態が暫定的に確立した後に、前記カラオケ装置の前記装置側双方向通信用送信手段から前記双方向通信を用いて送信された前記正式設定情報を前記端末側双方向通信用受信手段が受信したときには、当該リモコンの設定情報を前記暫定設定情報から受信した前記正式設定情報へ変更して、前記正式設定情報に基づいて前記カラオケ装置との前記双方向通信による接続状態を正式に確立する端末側括り付け処理を実行して、当該未接続リモコンが前記接続済みリモコンとなり、
当該リモコンが前記接続済みリモコンである場合の前記端末側通信制御手段は、当該接続済みリモコンと前記カラオケ装置との間で前記双方向通信による接続状態が確立してから前記受信不能通知情報を前記端末側双方向通信用受信手段が受信するまでの間および前記受信可能通知情報を前記端末側双方向通信用受信手段が受信してから前記受信不能通知情報を前記端末側双方向通信用受信手段が受信するまでの間は、前記カラオケ装置へ送信する必要がある各種情報を前記カラオケ装置へ前記双方向通信を用いて前記端末側双方向通信用送信手段に送信させ、一方、前記受信不能通知情報を前記端末側双方向通信用受信手段が受信してから前記受信可能通知情報を前記端末側双方向通信用受信手段が受信するまでの間は、前記カラオケ装置へ送信する必要がある各種情報を前記カラオケ装置へ前記片方向通信を用いて前記端末側片方向通信用送信手段に送信させること
を特徴とするリモコン。
【請求項４】
ユーザからの要求を受けて予約した楽曲を順次演奏するカラオケ装置と前記カラオケ装置に対する楽曲の予約をリクエストするための操作を実施可能な複数のリモコンとが、前記カラオケ装置と前記リモコンとの間で同一設定に基づいて相互に通信を行うための通信方法である双方向通信および前記双方向通信とは異なり前記リモコンから前記カラオケ装置に対する方向のみで通信を行うための通信方法である片方向通信によって通信可能に接続され、
前記カラオケ装置においては、当該カラオケ装置と前記リモコンとの間で前記双方向通信を行うための各種設定を規定する設定情報として、当該カラオケ装置と前記リモコンとの間の前記双方向通信による接続状態を確立するために前記双方向通信を暫定的に行うための各種設定を規定する暫定設定情報または前記双方向通信による接続状態が確立した後に前記双方向通信を行うための各種設定を規定する正式設定情報を設定可能であり、
一方、前記リモコンにおいては、当該リモコンと前記カラオケ装置との間で前記双方向通信を行うための各種設定を規定する設定情報として、前記暫定設定情報または前記正式設定情報を設定可能であり、
また、前記リモコンにおいては、当該リモコンと前記カラオケ装置との間で前記双方向通信による接続状態を確立するために、前記双方向通信による接続状態の確立を要請する旨の情報である接続確立要請情報を前記暫定設定情報とともに前記カラオケ装置へ前記片方向通信を用いて送信させる接続確立要請処理を実行し、
また、前記カラオケ装置においては、前記双方向通信による接続状態が確立したリモコンである接続済みリモコンが存在しない場合に、前記双方向通信による接続状態が確立していないリモコンである未接続リモコンと当該カラオケ装置との前記双方向通信による接続状態を確立する処理である第一装置側括り付け処理、および前記接続済みリモコンが存在する場合に前記未接続リモコンと当該カラオケ装置との前記双方向通信による接続状態を確立する処理である第二装置側括り付け処理を実行する装置側通信制御手段を備え、
前記第一装置側括り付け処理とは、前記未接続リモコンから前記片方向通信を用いて送信された前記接続確立要請情報と前記暫定設定情報とを受信した場合において、前記接続済みリモコンが存在しないときに、受信した前記暫定設定情報に基づいて前記暫定設定情報の送信元である前記未接続リモコンとの前記双方向通信による接続状態を暫定的に確立し、前記正式設定情報を前記未接続リモコンへ前記双方向通信を用いて送信する処理であり、一方、前記第二装置側括り付け処理とは、前記未接続リモコンから前記片方向通信を用いて送信された前記接続確立要請情報と前記暫定設定情報とを受信した場合において、前記接続済みリモコンが存在するときに、前記双方向通信を用いて送信される各種情報を受信不可能となる旨を示す情報である受信不能通知情報を前記接続済みリモコンへ前記双方向通信で送信し、当該カラオケ装置の設定情報を前記正式設定情報から受信した前記暫定設定情報に一時変更して、前記暫定設定情報に基づいて前記暫定設定情報の送信元である前記未接続リモコンとの前記双方向通信による接続状態を暫定的に確立し、前記正式設定情報をその接続状態を確立した前記暫定設定情報の送信元である前記未接続リモコンへ前記双方向通信を用いて送信した後で、当該カラオケ装置側の設定情報を前記暫定設定情報から前記正式設定情報に戻し、前記双方向通信を用いて送信される各種情報を受信可能となる旨を示す情報である受信可能通知情報を前記接続済みリモコンへ前記双方向通信を用いて送信する処理であり、
前記未接続リモコンにおいては、前記双方向通信による接続状態が暫定的に確立した後に、前記カラオケ装置から前記双方向通信を用いて送信された前記正式設定情報を受信したときには、当該リモコンの設定情報を前記暫定設定情報から受信した前記正式設定情報へ変更して、前記正式設定情報に基づいて前記カラオケ装置との前記双方向通信による接続状態を正式に確立する端末側括り付け処理を実行して、前記未接続リモコンから前記接続済みリモコンとなり、
また、前記接続済みリモコンにおいては、当該接続済みリモコンと前記カラオケ装置との間で前記双方向通信による接続状態が確立してから前記受信不能通知情報を受信するまでの間および前記受信可能通知情報を受信してから前記受信不能通知情報を受信するまでの間は、前記カラオケ装置へ送信する必要がある各種情報を前記カラオケ装置へ前記双方向通信を用いて送信し、
一方、前記カラオケ装置においては、当該カラオケ装置と前記接続済みリモコンとの間で前記双方向通信による接続状態が確立してから前記受信不能通知情報を送信するまでの間および前記受信可能通知情報を送信してから前記受信不能通知情報を送信するまでの間に、前記接続済みリモコンから前記双方向通信を用いて送信された各種情報を受信した場合には、受信した前記各種情報に対する応答を前記各種情報の送信元である前記接続済みリモコンへ前記双方向通信を用いて送信し、
また、前記接続済みリモコンにおいては、前記受信不能通知情報を受信してから前記受信可能通知情報を受信するまでの間は、前記カラオケ装置へ送信する必要がある各種情報を前記カラオケ装置へ前記片方向通信を用いて送信し、
一方、前記カラオケ装置においては、前記受信不能通知情報を前記双方向通信で送信してから前記受信可能通知情報を前記双方向通信で送信するまでの間に、前記接続済みリモコンから前記片方向通信を用いて送信された各種情報を受信した場合には、当該カラオケ装置の設定情報を前記暫定設定情報から前記正式設定情報に一時変更して前記各種情報の送信元である前記接続済みリモコンと前記正式設定情報に基づいて前記双方向通信による接続状態を確立し、受信した前記各種情報に対する応答を前記各種情報の送信元である前記接続済みリモコンへ前記双方向通信を用いて送信した後で、当該カラオケ装置側の設定情報を前記正式設定情報から前記暫定設定情報に戻すこと
を特徴とする通信方法。
【発明の詳細な説明】
【技術分野】
【０００１】
本発明は、カラオケ装置とリモコンとの間の双方向通信およびリモコンからカラオケ装置への片方向通信によって前記カラオケ装置と前記リモコンとが通信可能に接続されるカラオケシステムに関する。
【背景技術】
【０００２】
従来より、ユーザからの要求を受けて予約した楽曲を順次演奏するカラオケ装置と、カラオケ装置に対する楽曲の予約をリクエストするための操作を実施可能なリモコンとが、通信可能に接続されるカラオケシステムが知られている。
【０００３】
この種のカラオケシステムにおいて、秘密情報が外部に漏れるのを防ごうとすると、カラオケ装置とリモコンとの間で仮設定情報と正式設定情報とを変更しながら双方向通信（例えば、ＩＥＥＥ８０２．１１規格の無線ＬＡＮ）およびリモコンからカラオケ装置への片方向通信（例えば、赤外線）によってカラオケ装置とリモコンとが通信可能に接続すればよい（アドホック通信、例えば、特許文献１参照）。
【先行技術文献】
【特許文献】
【０００４】
【特許文献１】特開２００５−３４７９１１号公報（第５，６頁、図１）
【発明の概要】
【発明が解決しようとする課題】
【０００５】
しかし、上述の技術（リモコン１台で複数の家電製品を制御する技術、特許文献１の図９および図１０参照）を、カラオケに用いるには、次のような問題があった。すなわち、例えば、１台のカラオケ装置を複数の利用者それぞれが制御するときには、最初の利用者が持参したリモコンでカラオケ装置への接続を行い、その後にカラオケに参加する２人目の利用者および３人目の利用者もリモコンを別途持参して、カラオケ装置への接続を開始することとなる。何故ならば、カラオケボックスでは入場時に受付でリモコンが貸し与えられるからである。
【０００６】
既にカラオケ装置と１台目のリモコンとの間で双方向通信による接続状態が確立している場合に、カラオケ装置に対して２台目以降の新たなリモコンから片方向通信を用いて双方向通信による接続状態の確立の要請があったときには、カラオケ装置は、当該リモコンとの仮設定情報で双方向通信による接続状態を確立している間は、既に設定情報で双方向通信による接続状態にあるリモコン（以下、接続済みリモコン）との通信ができなくなる。この場合、再び通信可能となるまでの間は、接続済みリモコンからカラオケ装置に対する選曲入力などの各種リクエストを、双方向通信を用いては実行できなくなるという問題があった。
【０００７】
本発明は、このような課題に鑑みなされたものであり、その目的とするところは、カラオケ装置とリモコンとの双方向通信がカラオケ装置と他のリモコンとの双方向通信による接続状態を確立するために一時的に不可能になる場合でも、当該リモコンとカラオケ装置とのデータ通信を可能にする技術を提供することにある。
【課題を解決するための手段】
【０００８】
上記課題を解決するためになされた請求項１に係るカラオケシステム（１：この欄においては、発明に対する理解を容易にするため、必要に応じて「発明を実施するための形態」欄で用いた符号を付すが、この符号によって請求の範囲を限定することを意味するものではない。）は、ユーザからの要求を受けて予約した楽曲を順次演奏するカラオケ装置（１０）とカラオケ装置に対する楽曲の予約をリクエストするための操作を実施可能なリモコンと（２０）が、双方向通信および片方向通信によって通信可能に接続される。
【０００９】
まず、カラオケ装置は、当該カラオケ装置とリモコンとの間で前記双方向通信を行うための各種設定を規定する設定情報として、暫定設定情報または正式設定情報を設定可能である。
【００１０】
なお、暫定設定情報とは、当該カラオケ装置とリモコンとの間の双方向通信による接続状態を確立するために双方向通信を暫定的に行うための各種設定を規定する情報を云う。また、正式設定情報とは、双方向通信による接続状態が確立した後に双方向通信を行うための各種設定を規定する情報を云う。
【００１１】
また、カラオケ装置は、正式設定情報を予め記憶する正式設定情報記憶手段（１６）と、片方向通信を用いて各種情報を受信する装置側片方向通信用受信手段（１５）と、双方向通信を用いて各種情報を送信する装置側双方向通信用送信手段（１５）と、双方向通信を用いて各種情報を受信する装置側双方向通信用受信手段（１５）と、を備える。
【００１２】
一方、リモコンは、当該リモコンとカラオケ装置との間で双方向通信を行うための各種設定を規定する設定情報として、カラオケ装置と同様に、暫定設定情報または正式設定情報を設定可能である。
【００１３】
また、リモコンは、暫定設定情報を予め記憶する暫定設定情報記憶手段（２５）と、片方向通信を用いて各種情報を送信する端末側片方向通信用送信手段（２４）と、双方向通信を用いて各種情報を送信する端末側双方向通信用送信手段（２４）と、双方向通信を用いて各種情報を受信する端末側双方向通信用受信手段（２４）と、を備える。
【００１４】
また、リモコンは、さらに、接続確立要請処理を実行する端末側通信制御手段（２２）を備える。なお、接続確立要請処理とは、端末側通信制御手段が、当該リモコンとカラオケ装置との間で双方向通信による接続状態を確立するために、暫定設定情報記憶手段が記憶する暫定設定情報を読み出し、双方向通信による接続状態の確立を要請する旨の情報である接続確立要請情報をその読み出した暫定設定情報とともにカラオケ装置へ片方向通信を用いて端末側片方向通信用送信手段に送信させる処理を云う。
【００１５】
また、カラオケ装置は、さらに、第一装置側括り付け処理および第二装置側括り付け処理を実行する装置側通信制御手段（１２）を備える。
なお、第一装置側括り付け処理とは、双方向通信による接続状態が確立したリモコンである「接続済みリモコン」が存在しない場合に、双方向通信による接続状態が確立していないリモコンである「未接続リモコン」と当該カラオケ装置との双方向通信による接続状態を確立する処理を云う。より具体的には、この第一装置側括り付け処理おいては、未接続リモコンの端末側片方向通信用送信手段から片方向通信を用いて送信された接続確立要請情報と暫定設定情報とを装置側片方向通信用受信手段が受信した場合において、接続済みリモコンが存在しないときには、装置側通信制御手段が、受信した暫定設定情報に基づいて暫定設定情報の送信元である未接続リモコンとの双方向通信による接続状態を暫定的に確立し、正式設定情報を正式設定情報記憶手段から読み出し、その読み出した正式設定情報を未接続リモコンへ双方向通信を用いて装置側双方向通信用送信手段に送信させる。
【００１６】
また、第二装置側括り付け処理とは、接続済みリモコンが存在する場合に未接続リモコンと当該カラオケ装置との双方向通信による接続状態を確立する処理を云う。より具体的には、この第二装置側括り付け処理においては、未接続リモコンの端末側片方向通信用送信手段から片方向通信を用いて送信された接続確立要請情報と暫定設定情報とを装置側片方向通信用受信手段が受信した場合において、接続済みリモコンが存在するときには、装置側通信制御手段が、双方向通信を用いて送信される各種情報を装置側双方向通信用受信手段が受信不可能となる旨を示す情報である受信不能通知情報を接続済みリモコンへ装置側双方向通信用送信手段を用いて双方向通信で送信し、当該カラオケ装置の設定情報を正式設定情報から受信した暫定設定情報に一時変更して、暫定設定情報に基づいて暫定設定情報の送信元である未接続リモコンとの双方向通信による接続状態を暫定的に確立し、正式設定情報を正式設定情報記憶手段から読み出し、その読み出した正式設定情報をその接続状態を確立した暫定設定情報の送信元である未接続リモコンへ双方向通信を用いて装置側双方向通信用送信手段に送信させた後で、当該カラオケ装置側の設定情報を暫定設定情報から正式設定情報に戻し、双方向通信を用いて送信される各種情報を装置側双方向通信用受信手段が受信可能となる旨を示す情報である受信可能通知情報を接続済みリモコンへ双方向通信を用いて装置側双方向通信用送信手段に送信させる。
【００１７】
そして、未接続リモコンの端末側通信制御手段は、双方向通信による接続状態が暫定的に確立した後に、カラオケ装置の装置側双方向通信用送信手段から双方向通信を用いて送信された正式設定情報を端末側双方向通信用受信手段が受信したときには、当該リモコンの設定情報を暫定設定情報から受信した正式設定情報へ変更して、正式設定情報に基づいてカラオケ装置との双方向通信による接続状態を正式に確立する端末側括り付け処理を実行する。このことにより、未接続リモコンから接続済みリモコンとなる。
【００１８】
なお、接続済みリモコンが各種情報をカラオケ装置へ送信する場合には、接続済みリモコンとカラオケ装置との間で双方向通信による接続状態が確立してから受信不能通知情報を端末側双方向通信用受信手段が受信するまでの間および受信可能通知情報を端末側双方向通信用受信手段が受信してから受信不能通知情報を端末側双方向通信用受信手段が受信するまでの間は、接続済みリモコンの端末側通信制御手段が、カラオケ装置へ送信する必要がある各種情報をカラオケ装置へ双方向通信を用いて端末側双方向通信用送信手段に送信させる。
【００１９】
一方、カラオケ装置と接続済みリモコンとの間で双方向通信による接続状態が確立してから受信不能通知情報を装置側双方向通信用送信手段が送信するまでの間および受信可能通知情報を装置側双方向通信用送信手段が送信してから受信不能通知情報を装置側双方向通信用送信手段が送信するまでの間に、接続済みリモコンから双方向通信を用いて送信された各種情報を装置側双方向通信用受信手段が受信した場合には、カラオケ装置の装置側通信制御手段が、受信した各種情報に対する応答を各種情報の送信元である接続済みリモコンへ双方向通信を用いて装置側双方向通信用送信手段に送信させる。
【００２０】
また、受信不能通知情報を端末側双方向通信用受信手段が受信してから受信可能通知情報を端末側双方向通信用受信手段が受信するまでの間は、接続済みリモコンの端末側通信制御手段が、カラオケ装置へ送信する必要がある各種情報をカラオケ装置へ片方向通信を用いて端末側片方向通信用送信手段に送信させる。
【００２１】
一方、受信不能通知情報を装置側双方向通信用送信手段を用いて双方向通信で送信してから受信可能通知情報を装置側双方向通信用送信手段を用いて双方向通信で送信するまでの間に、接続済みリモコンから片方向通信を用いて送信された各種情報を装置側片方向通信用受信手段が受信した場合には、カラオケ装置の装置側通信制御手段が、正式設定情報を正式設定情報記憶手段から読み出し、当該カラオケ装置の設定情報を暫定設定情報からその読み出した正式設定情報に一時変更して各種情報の送信元である接続済みリモコンと正式設定情報に基づいて双方向通信による接続状態を確立し、受信した各種情報に対する応答を各種情報の送信元である接続済みリモコンへ双方向通信を用いて装置側双方向通信用送信手段に送信させた後で、当該カラオケ装置側の設定情報を正式設定情報から暫定設定情報に戻す。
【００２２】
このように構成された本発明のカラオケシステムによれば、カラオケ装置とリモコンとの双方向通信がカラオケ装置と他のリモコンとの双方向通信による接続状態を確立するために一時的に不可能になる場合でも、当該リモコンとカラオケ装置とのデータ通信を可能となる。また、このことにより、従来構成に比べて利用者の利便性を向上させることができる。
【００２３】
なお、本発明は請求項１に係るカラオケシステムに用いられるカラオケ装置（請求項２）およびリモコン（請求項３）としても実現可能である。
【図面の簡単な説明】
【００２４】
【図１】（ａ）カラオケネットワークシステム１の全体構成を示すブロック図、（ｂ）カラオケ装置１０による接続状態確立処理のサブルーチン
【図２】カラオケ装置１０による接続状態確立処理を示すフローチャート
【図３】リモコン２０による接続状態確立処理を示すフローチャート
【発明を実施するための形態】
【００２５】
以下に本発明の実施形態を図面とともに説明する。なお、本発明はこの実施形態に限定されるものではなく、様々な態様にて実施することが可能である。
［１．カラオケネットワークシステム１の構成の説明］
図１に示すように、カラオケシステムとしてのカラオケネットワークシステム１は、ユーザからの要求を受けて予約した楽曲を順次演奏するカラオケ装置１０とカラオケ装置１０に対する楽曲の予約をリクエストするための操作を実施可能なリモコン端末２０とが、双方向通信としてのＬＡＮおよび片方向通信としての赤外線通信によって通信可能に接続される。なお、図１ではカラオケ装置１０およびリモコン端末２０がそれぞれ一つずつ図示されている。
【００２６】
ここで、双方向通信とは、カラオケ装置１０とリモコン端末２０との間で同一設定に基づいて相互に通信を行うための通信方法を云う。なお、ＬＡＮは有線方式であっても無線方式であってもよい。また、片方向通信とは、双方向通信とは異なりリモコン端末２０からカラオケ装置１０に対する方向のみで通信を行うための通信方法を云う。
【００２７】
また、カラオケ装置１０は、センター（ホストサーバ）３０とインターネットを介して通信可能に接続されている。なお、センター３０は、周知のコンピュータシステムからなり、インターネットを介した通信を制御する通信部３１，各種情報を記憶するＨＤＤ３２，サーバ全体を制御する制御部３３などを備える。このセンター３０は、カラオケ装置１０に対してカラオケ楽曲を提供する機能を有する。
【００２８】
［１．１．カラオケ装置１０の構成の説明］
カラオケ装置１０は、各種映像の表示を行う表示部１１，装置全体を制御する制御部１２，楽曲データの再生（カラオケ演奏）を行う楽曲再生部１３，複数のキー・スイッチなどからなる操作部１４，インターネットやＬＡＮを介した通信を制御するとともに赤外線信号を受信する通信部１５，演奏楽曲の伴奏内容および歌詞を示す楽曲データ（カラオケ楽曲データ）などを記憶するＨＤＤ１６などを備える。このカラオケ装置１０は、カラオケ楽曲を再生する機能を有する。
【００２９】
また、表示部１１は図示しないＴＶなどを有し、歌詞テロップや背景画像を表示可能である。また、楽曲再生部１３は、図示しないマイクやＭＩＤＩ再生部、アンプ、スピーカを含み、楽曲データをカラオケ演奏するとともにマイクから入力された歌唱音声を出力する。また、制御部１２はＣＰＵやＲＯＭ、ＲＡＭなどから構成される。
【００３０】
また、制御部１２は、当該カラオケ装置１０とリモコン端末２０との間で双方向通信するときは、お互いを識別しつつ各種設定を規定するために、例えば８０２．１１規格のＥＳＳ−ＩＤ（Extended Service Set Identifier）を用いる。
【００３１】
この各種設定を規定するＥＳＳ−ＩＤ（設定情報）として、仮ＥＳＳ−ＩＤ（暫定設定情報）または正式ＥＳＳ−ＩＤ（正式設定情報）を設定可能である。なお、仮ＥＳＳ−ＩＤとは、カラオケ装置１０とリモコン端末２０との間の双方向通信による接続状態を確立するために双方向通信を暫定的に行うための各種設定を規定する情報を云う。また、正式ＥＳＳ−ＩＤとは、カラオケ装置１０とリモコン端末２０との間の双方向通信による接続状態が確立した後に双方向通信を行うための各種設定を規定する情報を云う。
【００３２】
そして、ＨＤＤ１６は、正式ＥＳＳ−ＩＤを予め記憶しておくのに利用される。
なお、ＨＤＤ１６が正式設定情報記憶手段に該当する。また、通信部１５が装置側片方向通信用受信手段、装置側双方向通信用送信手段および装置側双方向通信用受信手段に該当する。また、制御部１２が装置側通信制御手段に該当する。
【００３３】
［１．２．リモコン端末２０の構成の説明］
リモコン端末２０は、各種情報の表示を行う表示部２１，装置全体を制御する制御部２２，複数のキー・スイッチなどからなる操作部２３，インターネットを介した通信を制御するとともに赤外線信号を送信する通信部２４，各種情報を記憶する不揮発性メモリ２５などを備え、情報表示機能およびユーザが入力操作する入力機能を有する。なお、不揮発性メモリ２５には楽曲データベースなどが記録されている。
【００３４】
また、制御部２２は、カラオケ装置１０とリモコン端末２０との間で双方向通信を行うための各種設定を規定する設定情報として、仮ＥＳＳ−ＩＤまたは正式ＥＳＳ−ＩＤを設定可能である。
【００３５】
そして、不揮発性メモリ２５は、仮ＥＳＳ−ＩＤを予め記憶しておくのに利用される。
なお、不揮発性メモリ２５が暫定設定情報記憶手段に該当する。また、通信部２４が端末側片方向通信用送信手段、端末側双方向通信用送信手段および端末側双方向通信用受信手段に該当する。また、制御部２２が端末側通信制御手段に該当する。
【００３６】
［３．接続状態確立処理の説明］
次に、カラオケネットワークシステム１が実行する接続状態確立処理を、図２および図３のフローチャートを参照して説明する。以下、図２に示すカラオケ装置１０による接続状態確立処理を説明し、続いて、図３に示すリモコン２０による接続状態確立処理を説明する。なお、図１（ｂ）は図に示すカラオケ装置１０による接続状態確立処理のサブルーチンである。
【００３７】
［３．１．カラオケ装置１０による接続状態確立処理の説明］
図２に示すカラオケ装置１０による接続状態確立処理を説明する。
まず、最初のステップ２０５（Ｓ２０５）では、リモコン端末２０から括り付け要求があったか否かを判断する。ここで括り付け要求とは、リモコン端末２０から送信される接続確立要請情報および仮ＥＳＳ−ＩＤであり、接続確立要請情報とは、双方向通信による接続状態の確立を要請する旨の情報である。この括り付け要求は、リモコン端末２０の通信部２４からカラオケ装置１０へ片方向通信を用いて送信される。
【００３８】
リモコン端末２０から括り付け要求がないと判断する場合には、リモコン端末２０から括り付け要求があるまで待機する（Ｓ２０５：ＮＯ）。リモコン端末２０から括り付け要求があったと判断する場合には（Ｓ２０５：ＹＥＳ）、Ｓ２１０に移行する。
【００３９】
Ｓ２１０では、括り付けが１台目か否かを判断する。ここで、当該カラオケ装置１０との間で双方向通信による接続状態が確立しているリモコン端末２０が存在しない場合には肯定判断を行い、一方、１台でも存在する場合には否定判断を行う。肯定判断の場合には（Ｓ２１０：ＹＥＳ）、Ｓ２１５に移行する。一方、否定判断の場合には（Ｓ２１０：ＮＯ）、Ｓ２２５に移行する。
【００４０】
Ｓ２１５では、括り付け処理を実行する。この処理は、特許請求の範囲における「第一装置側括り付け処理」に該当し、双方向通信による接続状態が確立したリモコン端末２０である「接続済みリモコン」が存在しない場合に、双方向通信による接続状態が確立していないリモコン端末２０である「未接続リモコン」と当該カラオケ装置１０との双方向通信による接続状態を確立する。より具体的には、この第一装置側括り付け処理おいては、未接続リモコンの通信部２４から赤外線通信を用いて送信された接続確立要請情報（後述）と仮ＥＳＳ−ＩＤとを通信部１５が受信した場合において、接続済みリモコンが存在しないときには、受信した仮ＥＳＳ−ＩＤに基づいて仮ＥＳＳ−ＩＤの送信元である未接続リモコンとの双方向通信による接続状態を暫定的に確立し（図１（ｂ）のＳ４１０）、正式ＥＳＳ−ＩＤをＨＤＤ１６から読み出し、その読み出した正式ＥＳＳ−ＩＤを未接続リモコンへ双方向通信を用いて通信部１５に送信させる（図１（ｂ）のＳ４２０）。そして、Ｓ２２０に移行する。
【００４１】
Ｓ２２０では、カラオケ装置１０の電源がオフされたか否かを判断する。カラオケ装置１０の電源がオフされたと判断する場合には（Ｓ２２０：ＹＥＳ）、本処理を終了する。一方、カラオケ装置１０の電源がオフされていないと判断する場合には（Ｓ２２０：ＮＯ）、Ｓ２０５に移行する。
【００４２】
Ｓ２２５に移行すると、Ｓ２２５〜Ｓ２５５から構成される新たな括り付け処理を開始する。この処理は、特許請求の範囲における「第二装置側括り付け処理」に該当する。ここでの括り付け処理は、接続済みリモコンが存在する場合に未接続リモコンと当該カラオケ装置１０との双方向通信による接続状態を確立する処理である。
【００４３】
まず、Ｓ２２５では、括り付け済みの既存のリモコン端末２０へブロードキャストで一時的にＷＬＡＮ通信できなくなる旨を通知する。つまり、双方向通信を用いて送信される各種情報をカラオケ装置１０の通信部１５が受信不可能となる旨を示す情報（受信不能通知情報）を接続済みリモコンへ通信部１５を用いて双方向通信で送信する。
【００４４】
続くＳ２３０では、新たな括り付け処理のルーチンを開始する。ここでは、当該カラオケ装置１０の設定情報を正式ＥＳＳ−ＩＤから受信した仮ＥＳＳ−ＩＤに一時変更して、仮ＥＳＳ−ＩＤに基づいて仮ＥＳＳ−ＩＤの送信元である未接続リモコンとの双方向通信による接続状態を暫定的に確立する。
【００４５】
続くＳ２３５では、新たな括り付け処理のルーチンが終了したか否かを判断する。ここでは、Ｓ２３０の実行後およびＳ２４０の実行後に当該Ｓ２３５に移行した場合には否定判断を行い、一方、後述するＳ２５５の実行後に当該Ｓ２３５に移行した場合には肯定判断を行う。新たな括り付け処理のルーチンが終了したと判断する場合には（Ｓ２３５：ＹＥＳ）、Ｓ２２０に移行する。一方、新たな括り付け処理のルーチンが終了していないと判断する場合には（Ｓ２３５：ＮＯ）、Ｓ２４０に移行する。
【００４６】
Ｓ２４０では、既存の端末（接続済みリモコン端末）から曲予約などのメッセージを赤外線通信で受信したか否かを判断する。既存の端末からメッセージを赤外線通信で受信していないと判断する場合には（Ｓ２４０：ＮＯ）、Ｓ２３５に移行する。一方、既存の端末からメッセージを赤外線通信で受信したと判断する場合には（Ｓ２４０：ＹＥＳ）、Ｓ２４５に移行する。
【００４７】
Ｓ２４５では、新しい端末（未接続のリモコン端末）からの曲予約などのメッセージの受信が双方向通信（ＷＬＡＮ）で完了したか否かを判断する。新しい端末からのメッセージの受信が完了していないと判断する場合には、メッセージの受信が完了するまで待機し（Ｓ２４５：ＮＯ）、新しい端末からのメッセージの受信が完了したと判断する場合には（Ｓ２４５：ＹＥＳ）、Ｓ２５０に移行する。
【００４８】
Ｓ２５０では、ＥＳＳ−ＩＤを正式ＥＳＳ−ＩＤに変更し、曲予約を受け付けた旨を既存の端末へ応答する。
続くＳ２５５では、ＥＳＳ−ＩＤを仮ＥＳＳ−ＩＤに変更して、新しい端末へ応答する。なお、新しい端末へ応答する際には、正式ＥＳＳ−ＩＤをＨＤＤ１６から読み出し、その読み出した正式ＥＳＳ−ＩＤをその接続状態を確立した仮ＥＳＳ−ＩＤの送信元である未接続リモコンへ双方向通信を用いて通信部１５に送信させる。さらに、双方向通信を用いて送信されるメッセージを通信部１５が受信可能となる旨を示す情報である受信可能通知情報を接続済みリモコンへ双方向通信を用いて通信部１５に送信させる。そして、当該カラオケ装置１０側のＥＳＳ−ＩＤを仮ＥＳＳ−ＩＤから正式ＥＳＳ−ＩＤに戻し、Ｓ２３５に移行する。
【００４９】
［３．２．リモコン端末２０による接続状態確立処理の説明］
図３に示すリモコン端末２０による接続状態確立処理を説明する。
まず、最初のＳ３０５では、赤外線通信でカラオケ装置１０へ仮ＥＳＳ−ＩＤを送信する。具体的には、リモコン端末２０とカラオケ装置１０との間で双方向通信による接続状態を確立するために、不揮発メモリ２５が記憶する仮ＥＳＳ−ＩＤを読み出し、双方向通信による接続状態の確立を要請する旨の情報である接続確立要請情報をその読み出した仮ＥＳＳ−ＩＤとともにカラオケ装置１０へ片方向通信を用いて通信部２４に送信させる。なお、この処理は特許請求の範囲における「接続確立要請処理」に該当する。
【００５０】
続くＳ３１０では、ＷＬＡＮ（双方向通信）でコマンダ（カラオケ装置１０）から正式ＥＳＳ−ＩＤ情報を受信したか否かを判断する。ＷＬＡＮでコマンダから正式ＥＳＳ−ＩＤ情報を受信していないと判断する場合には、ＷＬＡＮでコマンダから正式ＥＳＳ−ＩＤ情報を受信したと判断するまで待機する（Ｓ３１０：ＹＥＳ）。ＷＬＡＮでコマンダから正式ＥＳＳ−ＩＤ情報を受信したと判断する場合には（Ｓ３１０：ＹＥＳ）、Ｓ３１５に移行する。
【００５１】
Ｓ３１５では、ＥＳＳ−ＩＤを仮ＥＳＳ−ＩＤから正式ＥＳＳ−ＩＤに変更する。このことにより、未接続リモコンから接続済みリモコンとなる。なお、上述のＳ３０５〜Ｓ３１５が端末側括り付け処理に該当する。
【００５２】
続くＳ３２０では、コマンダからＷＬＡＮによる無線送信ができなくなる旨の通知（受信不能通知情報）が来たか否かを判断する。
コマンダからＷＬＡＮによる無線送信ができなくなる旨の通知が来ていないと判断する場合には（Ｓ３２０：ＮＯ）、Ｓ３５０に移行する。一方、コマンダからＷＬＡＮによる無線送信ができなくなる旨の通知が来たと判断する場合には（Ｓ３２０：ＹＥＳ）、Ｓ３２５に移行する。
【００５３】
Ｓ３２５では、コマンダへの送信方法をＷＬＡＮから赤外線通信に切り換える。
続くＳ３３０では、ユーザから曲予約指示が来たか否かを判断する。ユーザから曲予約指示が来ていないと判断する場合には、ユーザから曲予約指示が来たと判断するまで待機する（Ｓ３３０：ＮＯ）。一方、ユーザから曲予約指示が来たと判断する場合には（Ｓ３３０：ＹＥＳ）、Ｓ３３５に移行する。
【００５４】
Ｓ３３５では、赤外線通信でコマンダへメッセージ（曲予約）を送信する。
続くＳ３４０では、コマンダから送信された、曲予約を受け付けた旨の応答を受け付ける。この場合、ＥＳＳ−ＩＤとしては正式ＥＳＳ−ＩＤを用いる。
【００５５】
続くＳ３４５では、電源がオフされたか否かを判断する。電源がオフされていないと判断する場合には（Ｓ３４５：ＮＯ）、Ｓ３２０に戻る。一方、電源がオフされたと判断する場合には（Ｓ３４５：ＹＥＳ）、本処理を終了する。
【００５６】
Ｓ３５０では、ユーザから曲予約指示が来たか否かを判断する。ユーザから曲予約指示が来ていないと判断する場合には（Ｓ３５０：ＮＯ）、Ｓ３２０に移行する。一方、ユーザから曲予約指示が来たと判断する場合には（Ｓ３５０：ＹＥＳ）、Ｓ３５５に移行する。
【００５７】
Ｓ３５５では、ＷＬＡＮでコマンダへメッセージ（曲予約）を送信する。この場合、ＥＳＳ−ＩＤとしては正式ＥＳＳ−ＩＤを用いる。そして、Ｓ３４５に移行する。
［３．実施形態の効果］
このように本実施形態のカラオケネットワークシステム１によれば、カラオケ装置１０とリモコン端末２０との双方向通信がカラオケ装置１０と他のリモコン端末２０との双方向通信による接続状態を確立するために一時的に不可能になる場合でも、当該リモコン端末２０とカラオケ装置１０とのデータ通信を可能となる。また、このことにより、従来構成に比べて利用者の利便性を向上させることができる。
【符号の説明】
【００５８】
１…カラオケネットワークシステム、１０…カラオケ装置、１１…表示部、１２…制御部、１３…楽曲再生部、１４…操作部、１５…通信部、１６…ＨＤＤ、２０…リモコン端末、２１…表示部、２２…制御部、２３…操作部、２４…通信部、２５…不揮発性メモリ、３０…センター、３１…通信部、３２…ＨＤＤ、３３…制御部
【図１】
2011180515.tif 000003
【図２】
2011180515.tif 000004
【図３】
2011180515.tif 000005